(57)【要約】      （修正有）【課題】体温による自然な保温効果により、肛門部の血液の循環を良くし、痔の疼痛を緩和する構造を有した痔の患者用座布団を提供する。【解決手段】痔の患者用座布団の構成は、以下の通り。第一に着座部１を作成し、第二に着座部１の上部に着座部１よりも高く盛り上がった盛り上がり部２を取り付ける。第三に、盛り上がり部２の上部に緩衝部３を取り付ける。さらに、袋状の生地の内部に着座部１、盛り上がり部２及び緩衝部３の全部を収納して形成する。使用者が肛門部を盛り上がり部に合わせて着座すると、着座部が臀部を支持し、盛り上がり部が肛門部を上部に押し上げて肛門部を支持する。【選択図】図１
0003175618.tif 000002
【実用新案登録請求の範囲】
【請求項１】
本考案の構成は次のとおりである。
第一に着座部を作成し、第二に着座部の上部に着座部よりも高く盛り上がった盛り上がり部を取り付ける。
第三に、盛り上がり部の上部に緩衝部を取り付ける。
第一の着座部により、盛り上がり部を支持する。そして、着座時臀部を支持する。
第二の盛り上がり部により、使用者が肛門部を盛り上がり部に合わせて着座すると、肛門部を上部に押し上げて支持する。
第三の緩衝部により、着座時緩衝部が沈降して臀部を支持する。着座しない場合、緩衝部の復元機能により座面を平面な形状に保つ。
以上の構成において、肛門部の血液の循環を良くし、痔の疼痛を緩和する痔の患者用座布団
【請求項２】
本考案の構成は次のとおりである。
第一に着座部を作成し、第二に着座部に着座部よりも高く盛り上がった盛り上がり部を取り付ける。
この場合、着座部に盛り上がり部を内包するための内包部を作成して、この内部に盛り上がり部を組み込んで取り付ける。
第三に、着座部の上部に緩衝部を取り付ける。
第一の着座部により、内包部の内部に盛り上がり部を内包する。そして、着座時臀部を支持する。
第二の盛り上がり部により、使用者が肛門部を盛り上がり部に合わせて着座すると、肛門部を上部に押し上げて支持する。
第三の緩衝部により、着座時緩衝部が沈降して臀部を支持する。着座しない場合、緩衝部の復元機能により座面を平面な形状に保つ。
以上の構成において、肛門部の血液の循環を良くし、痔の疼痛を緩和する痔の患者用座布団
【請求項３】
本考案の構成は次のとおりである。
第一にタオル生地により着座部を作成し、第二に着座部に着座部よりも高く盛り上がったタオル生地等により作成した盛り上がり部を取り付ける。
この場合、着座部に盛り上がり部を内包するためにタオル生地により内包部を作成して、この内部に盛り上がり部を組み込んで取り付ける。
第三に、着座部の上部にタオル生地等により作成した緩衝部を取り付ける。
この場合、緩衝部は渦巻状に巻いたタオル生地を筒状のタオル生地等に収納したものを着座部の上部に取り付けて作成する。
本痔の患者用座布団の仕上がりは、袋状の生地の内部に着座部、盛り上がり部及び緩衝部の全部を収納して作成する。
第一の着座部により、内包部の内部に盛り上がり部を内包する。そして、着座時臀部を支持し、臀部と肛門部に保温効果を与える。
第二の盛り上がり部により、使用者が肛門部を盛り上がり部に合わせて着座すると、肛門部を上部に押し上げて支持する。
これにより、肛門部の痔の疼痛を緩和する。また、この盛り上がり部が体温によって暖められる自然な保温効果により肛門部の血液の循環を良くし痔の疼痛を緩和する。
第三の緩衝部により、着座時緩衝部が沈降して臀部を支持し、臀部と肛門部に保温効果を与える。着座しない場合、緩衝部の復元機能により座面を平面な形状に保つ。
以上の構成において、肛門部の血液の循環を良くし、痔の疼痛を緩和する痔の患者用座布団
【請求項４】
本考案の構成は次のとおりである。
第一にタオル生地により着座部を作成し、第二に着座部に着座部よりも高く盛り上がったタオル生地により作成した盛り上がり部を取り付ける。
この場合、着座部に盛り上がり部を内包するためにタオル生地等により内包部を作成して、この内部に盛り上がり部を組み込んで取り付ける。
第三に、着座部の上部にタオル生地により作成した緩衝部を取り付ける。
この場合、渦巻状に巻いたタオル生地をタオル生地等で蔽い、これを着座部の上部で縫合して緩衝部を作成する。
本痔の患者用座布団の仕上がりは、袋状の生地の内部に着座部、盛り上がり部及び緩衝部の全部を収納して作成する。
第一の着座部により、内包部の内部に盛り上がり部を内包する。そして、着座時臀部を支持し、臀部と肛門部に保温効果を与える。
第二の盛り上がり部により、使用者が肛門部を盛り上がり部に合わせて着座すると、肛門部を上部に押し上げて支持する。
これにより、肛門部の痔の疼痛を緩和する。また、この盛り上がり部が体温によって暖められる自然な保温効果により肛門部の血液の循環を良くし痔の疼痛を緩和する。
第三の緩衝部により、着座時緩衝部が沈降して臀部を支持し、臀部と肛門部に保温効果を与える。着座しない場合、緩衝部の復元機能により座面を平面な形状に保つ。
以上の構成において、肛門部の血液の循環を良くし、痔の疼痛を緩和する痔の患者用座布団
【請求項５】
本考案の構成は次のとおりである。
第一にタオル生地により着座部を作成し、第二に着座部に着座部よりも高く盛り上がったタオル生地により作成した盛り上がり部を取り付ける。
この場合、着座部に盛り上がり部を内包するためにタオル生地等により内包部を作成して、この内部に盛り上がり部を組み込んで取り付ける。
第三に、着座部の上部にタオル生地により作成した緩衝部を取り付ける。
この場合、緩衝部は折りたたんで重ねたタオル生地を筒状のタオル生地等に収納したものを着座部の上部に取り付けて作成する。
本痔の患者用座布団の仕上がりは、袋状の生地の内部に着座部、盛り上がり部及び緩衝部の全部を収納して作成する。
第一の着座部により、内包部の内部に盛り上がり部を内包する。そして、着座時臀部を支持し、臀部と肛門部に保温効果を与える。
第二の盛り上がり部により、使用者が肛門部を盛り上がり部に合わせて着座すると、肛門部を上部に押し上げて支持する。
これにより、肛門部の痔の疼痛を緩和する。また、この盛り上がり部が体温によって暖められる自然な保温効果により肛門部の血液の循環を良くし痔の疼痛を緩和する。
第三の緩衝部により、着座時緩衝部が沈降して臀部を支持し、臀部と肛門部に保温効果を与える。着座しない場合、緩衝部の復元機能により座面を平面な形状に保つ。
以上の構成において、肛門部の血液の循環を良くし、痔の疼痛を緩和する痔の患者用座布団
【考案の詳細な説明】
【技術分野】
【０００１】本考案は、痔の治癒に効果がある座布団に関するものである。
【背景技術】
【０００２】従来の痔の患者用の座布団は、着座部に凹状の窪み部をつくり、着座時、着座部が肛門部を圧迫して痛みが生じることを避ける形式をとるものが多い。しかし、これは肛門部の痛みを避けるための消極的な方法であり痔を治癒するための効果が少ない。
公開特許広報の特許番号３９２１６７２号の痔の治療具においては、肛門部の痔の患部への衝撃を防止する構成になっており本考案の構成とは異なるものである。また、特開２００８−２００４６８においては、棒状の突起物が構成の一部とされているが、当該棒状の突起物は棒状の袋の中にトルマリン鉱石を入れて作成する限定的構成になっており本考案の構成とは異なるものである。
【特許文献１】公開特許広報・特許番号３９２１６７２号
【特許文献２】公開特許広報・特開２００８−２００４６８
【考案の概要】
【考案が解決しようとする課題】
【０００３】本考案による痔の患者用の座布団は、肛門部の血液の循環を良くし、痔の疼痛を緩和することを目的とする。
【課題を解決するための手段】
【０００４】上記の問題を解決するために、従来の凹状の痔の患者用座布団に代えて、凸型の痔の患者用座布団を考案した。【０００５】本考案による第一の痔の患者用座布団の構成は次のとおりである。
第一に着座部を作成し、第二に着座部の上部に着座部よりも高く盛り上がった盛り上がり部を取り付ける。
第三に、盛り上がり部の上部に緩衝部を取り付ける。
本痔の患者用座布団の仕上がりは、袋状の生地の内部に着座部、盛り上がり部及び緩衝部の全部を収納して作成する。
第一の着座部により、盛り上がり部を支持する。そして、着座時臀部を支持し、臀部と肛門部に保温効果を与える。
第二の盛り上がり部により、使用者が肛門部を盛り上がり部に合わせて着座すると、肛門部を上部に押し上げて支持する。
これにより、肛門部の痔の疼痛を緩和する。また、この盛り上がり部が体温によって暖められる自然な保温効果により肛門部の血液の循環を良くし痔の疼痛を緩和する。
第三の緩衝部により、着座時緩衝部が沈降して臀部を支持し、臀部と肛門部に保温効果を与える。着座しない場合、緩衝部の復元機能により座面を平面な形状に保つ。
以上が本考案による第一の痔の患の者用座布団の構成である。【０００６】本考案による第二の痔の患者用座布団の構成は次のとおりである。
第一に着座部を作成し、第二に着座部に着座部よりも高く盛り上がった盛り上がり部を取り付ける。
この場合、着座部に盛り上がり部を内包するための内包部を作成して、この内部に盛り上がり部を組み込んで取り付ける。
第三に、着座部の上部に緩衝部を取り付ける。
本痔の患者用座布団の仕上がりは、袋状の生地の内部に着座部、盛り上がり部及び緩衝部の全部を収納して作成する。
第一の着座部により、内包部の内部に盛り上がり部を内包する。そして、着座時臀部を支持し、臀部と肛門部に保温効果を与える。
第二の盛り上がり部により、使用者が肛門部を盛り上がり部に合わせて着座すると、肛門部を上部に押し上げて支持する。
これにより、肛門部の痔の疼痛を緩和する。また、この盛り上がり部が体温によって暖められる自然な保温効果により肛門部の血液の循環を良くし痔の疼痛を緩和する。
第三の緩衝部により、着座時緩衝部が沈降して臀部を支持し、臀部と肛門部に保温効果を与える。着座しない場合、緩衝部の復元機能により座面を平面な形状に保つ。
以上が本考案による第二の痔の患者用座布団の構成である。【０００７】本考案による第三の痔の患者用座布団の構成は次のとおりである
第一にタオル生地により着座部を作成し、第二に着座部に着座部よりも高く盛り上がったタオル生地により作成した盛り上がり部を取り付ける。
この場合、着座部に盛り上がり部を内包するためにタオル生地等により内包部を作成して、この内部に盛り上がり部を組み込んで取り付ける。
第三に、着座部の上部にタオル生地により作成した緩衝部を取り付ける。
この場合、緩衝部は渦巻状に巻いたタオル生地を筒状のタオル生地等に収納したものを着座部の上部に取り付けて作成する。
本痔の患者用座布団の仕上がりは、袋状の生地の内部に着座部、盛り上がり部及び緩衝部の全部を収納して作成する。
第一の着座部により、内包部の内部に盛り上がり部を内包する。そして、着座時臀部を支持し、臀部と肛門部に保温効果を与える。
第二の盛り上がり部により、使用者が肛門部を盛り上がり部に合わせて着座すると、肛門部を上部に押し上げて支持する。
これにより、肛門部の痔の疼痛を緩和する。また、この盛り上がり部が体温によって暖められる自然な保温効果により肛門部の血液の循環を良くし痔の疼痛を緩和する。
第三の緩衝部により、着座時緩衝部が沈降して臀部を支持し、臀部と肛門部に保温効果を与える。着座しない場合、緩衝部の復元機能により座面を平面な形状に保つ。
以上が本考案による第三の痔の患者用座布団の構成である。【０００８】本考案による第四の痔の患者用座布団の構成は次のとおりである
第一にタオル生地により着座部を作成し、第二に着座部に着座部よりも高く盛り上がったタオル生地により作成した盛り上がり部を取り付ける。
この場合、着座部に盛り上がり部を内包するためにタオル生地等により内包部を作成して、この内部に盛り上がり部を組み込んで取り付ける。
第三に、着座部の上部にタオル生地により作成した緩衝部を取り付ける。
この場合、渦巻状に巻いたタオル生地をタオル生地等で蔽い、これを着座部の上部で縫合して緩衝部を作成する。
本痔の患者用座布団の仕上がりは、袋状の生地の内部に着座部、盛り上がり部及び緩衝部の全部を収納して作成する。
第一の着座部により、内包部の内部に盛り上がり部を内包する。そして、着座時臀部を支持し、臀部と肛門部に保温効果を与える。
第二の盛り上がり部により、使用者が肛門部を盛り上がり部に合わせて着座すると、肛門部を上部に押し上げて支持する。
これにより、肛門部の痔の疼痛を緩和する。また、この盛り上がり部が体温によって暖められる自然な保温効果により肛門部の血液の循環を良くし痔の疼痛を緩和する。
第三の緩衝部により、着座時緩衝部が沈降して臀部を支持し、臀部と肛門部に保温効果を与える。着座しない場合、緩衝部の復元機能により座面を平面な形状に保つ。
以上が本考案による第四の患者用座布団の構成である。【０００９】本考案による第五の痔の患者用座布団の構成は次のとおりである
第一にタオル生地により着座部を作成し、第二に着座部に着座部よりも高く盛り上がったタオル生地により作成した盛り上がり部を取り付ける。
この場合、着座部に盛り上がり部を内包するためにタオル生地等により内包部を作成して、この内部に盛り上がり部を組み込んで取り付ける。
第三に、着座部の上部にタオル生地により作成した緩衝部を取り付ける。
この場合、緩衝部は折りたたんで重ねたタオル生地等を筒状のタオル生地に収納したものを着座部の上部に取り付けて作成する。
本痔の患者用座布団の仕上がりは、袋状の生地の内部に着座部、盛り上がり部及び緩衝部の全部を収納して作成する。
第一の着座部により、内包部の内部に盛り上がり部を内包する。そして、着座時臀部を支持し、臀部と肛門部に保温効果を与える。
第二の盛り上がり部により、使用者が肛門部を盛り上がり部に合わせて着座すると、肛門部を上部に押し上げて支持する。
これにより、肛門部の痔の疼痛を緩和する。また、この盛り上がり部が体温によって暖められる自然な保温効果により肛門部の血液の循環を良くし痔の疼痛を緩和する。
第三の緩衝部により、着座時緩衝部が沈降して臀部を支持し、臀部と肛門部に保温効果を与える。着座しない場合、緩衝部の復元機能により座面を平面な形状に保つ。
以上が本考案による第五の痔の患者用座布団の構成である。
【考案の効果】
【００１０】本考案で、使用者が肛門部を着座部の盛り上がり部に合わせて着座すると、着座部が臀部を支持し、盛り上がり部が肛門部を上部に押し上げて肛門部を支持する。これにより、肛門部の痔の疼痛を緩和する。また、この盛り上がり部が体温によって暖められる自然な保温効果により肛門部の血液の循環を良くし痔の疼痛を緩和する。
本考案の痔の患者用座布団は痔の患者が自然な姿勢で長時間着座することができる。このため、デスクワークで長時間椅子に座り続ける場合や自動車運転業務に長時間従事する場合等に効果がある。
【図面の簡単な説明】
【００１１】
【図１】痔患者用座布団断面図−−着座していない場合
【図２】痔患者用座布団平面図
【図３】痔患者用座布団断面図−−着座している場合
【図４】痔患者用座布団断面図−−着座していない場合
【図５】痔患者用座布団平面図
【図６】痔患者用座布団断面図−−着座している場合
【図７】痔患者用座布団断面図−−着座していない場合
【図８】痔患者用座布団平面図
【図９】痔患者用座布団断面図−−着座していない場合
【図１０】痔患者用座布団平面図
【図１１】痔患者用座布団断面図−−着座していない場合
【図１２】痔患者用座布団平面図
【考案を実施するための形態】
【００１２】本考案による第一の痔の患者用座布団の構成と作成方法は次のとおりである。
第一に着座部１を作成し、第二に着座部１の上部に着座部１よりも高く盛り上がった盛り上がり部２を取り付ける。図１，図２、図３
第三に、盛り上がり部２の上部に緩衝部３を取り付ける。図１、図２、図３
本痔の患者用座布団の仕上がりは、袋状の生地の内部に着座部１、盛り上がり部２及び緩衝部３の全部を収納して作成する。
第一の着座部１により、盛り上がり部２を支持する。そして、着座時臀部４を支持し、臀部４と肛門部５に保温効果を与える。図１、図２、図３
この場合、着座部１は、柔構造で保温効果がある素材で作成する。
第二の盛り上がり部２により、使用者が肛門部５を盛り上がり部２に合わせて着座すると、肛門部５を上部に押し上げて支持する。図１、図２、図３
これにより、肛門部５の痔の疼痛を緩和する。また、この盛り上がり部２が体温によって暖められる自然な保温効果により肛門部５の血液の循環を良くし痔の疼痛を緩和する。
この場合、盛り上がり部２は柔構造で保温効果がある素材により作成する。
第三の緩衝部３により、着座時緩衝部３が沈降して臀部４を支持し、臀部４と肛門部５に保温効果を与える。着座しない場合、緩衝部３の復元機能により座面を平面な形状に保つ。
図１、図２、図３
この場合、緩衝部３は沈降・復元機能と保温効果がある素材により作成する。
以上が本考案による第一の痔の患者用座布団の構成と作成方法である。
【００１３】本考案による第二の痔の患者用座布団の構成と作成方法は次のとおりである。
第一に着座部１を作成し、第二に着座部１に着座部１よりも高く盛り上がった盛り上がり部２を取り付ける。図４、図５、図６
この場合、着座部１に盛り上がり部２を内包するための内包部６を作成して、この内部に盛り上がり部２を組み込んで取り付ける。
図４、図５、図６
第三に、着座部１の上部に緩衝部３を取り付ける。図４、図５、図６
本痔の患者用座布団の仕上がりは、袋状の生地の内部に着座部１、盛り上がり部２及び緩衝部３の全部を収納して作成する。
第一の着座部１により、内包部６の内部に盛り上がり部２を内包する。そして、着座時臀部４を支持し、臀部４と肛門部５に保温効果を与える。
図４、図５、図６
この場合、着座部１は、柔構造で保温効果がある素材で作成する。
第二の盛り上がり部２により、使用者が肛門部５を盛り上がり部２に合わせて着座すると、肛門部５を上部に押し上げて支持する。図４、図５、図６
これにより、肛門部５の痔の疼痛を緩和する。また、この盛り上がり部２が体温によって暖められる自然な保温効果により肛門部５の血液の循環を良くし痔の疼痛を緩和する。
この場合、盛り上がり部２は、柔構造で保温効果がある素材で作成する。
第三の緩衝部３により、着座時緩衝部３が沈降して臀部４を支持し、臀部４と肛門部５に保温効果を与える。着座しない場合、緩衝部３の復元機能により座面を平面な形状に保つ。図４、図５、図６
この場合、緩衝部３は沈降・復元機能と保温効果がある素材により作成する。
以上が本考案による第二の痔の患者用座布団の構成と作成方法である。
【００１４】本考案による第三の痔の患者用座布団の構成と作成方法は次のとおりである。
第一にタオル生地により着座部１を作成し、第二に着座部１に着座部１よりも高く盛り上がったタオル生地により作成した盛り上がり部２を取り付ける。
図７、図８
この場合、着座部１に盛り上がり部２を内包するためにタオル生地等により内包部６を作成して、この内部に盛り上がり部２を組み込んで取り付ける。
図７、図８
第三に、着座部１の上部にタオル生地により作成した緩衝部３を取り付ける。
図７、図８
この場合、緩衝部３は渦巻状に巻いたタオル生地７を筒状のタオル生地等８に収納したものを着座部１の上部に取り付けて作成する。図７、図８
本痔の患者用座布団の仕上がりは、袋状の生地の内部に着座部１、盛り上がり部２及び緩衝部３の全部を収納して作成する。
第一の着座部１により、内包部６の内部に盛り上がり部２を内包する。そして、着座時臀部４を支持し、臀部４と肛門部５に保温効果を与える。
図７、図８
第二の盛り上がり部２により、使用者が肛門部５を盛り上がり部２に合わせて着座すると、肛門部５を上部に押し上げて支持する。図７、図８
これにより、肛門部５の痔の疼痛を緩和する。また、この盛り上がり部が体温によって暖められる自然な保温効果により肛門部５の血液の循環を良くし痔の疼痛を緩和する。
第三の緩衝部３により、着座時緩衝部３が沈降して臀部４を支持し、臀部４と肛門部５に保温効果を与える。着座しない場合、緩衝部３の復元機能により座面を平面な形状に保つ。図７、図８
以上が本考案による第三の痔の患者用座布団の構成と作成方法である。
【００１５】本考案による第四の痔の患者用座布団の構成と作成方法である。
第一にタオル生地により着座部１を作成し、第二に着座部１に着座部１よりも高く盛り上がったタオル生地により作成した盛り上がり部２を取り付ける。
この場合、着座部１に盛り上がり部２を内包するためにタオル生地等により内包部６を作成して、この内部に盛り上がり部２を組み込んで取り付ける。
図９、図１０
第三に、着座部１の上部にタオル生地により作成した緩衝部３を取り付ける。
図９、図１０
この場合、着座部１の上部で渦巻状に巻いたタオル生地７をタオル生地等で蔽い、これを着座部１の上部で縫合９して緩衝部３を作成する。図９、図１０
本痔の患者用座布団の仕上がりは、袋状の生地の内部に着座部１、盛り上がり部２及び緩衝部３の全部を収納して作成する。
第一の着座部１により、内包部６の内部に盛り上がり部２を内包する。そして、着座時臀部４を支持し、臀部４と肛門部５に保温効果を与える。図９、図１０
第二の盛り上がり部２により、使用者が肛門部５を盛り上がり部２に合わせて着座すると、肛門部５を上部に押し上げて支持する。図９、図１０
これにより、肛門部５の痔の疼痛を緩和する。また、この盛り上がり部２が体温によって暖められる自然な保温効果により肛門部５の血液の循環を良くし痔の疼痛を緩和する。
第三の緩衝部３により、着座時緩衝部３が沈降して臀部４を支持し、臀部４と肛門部５に保温効果を与える。着座しない場合、緩衝部３の復元機能により座面を平面な形状に保つ。図９、図１０
以上が本考案による第四の患者用座布団の構成と作成方法である。
【００１６】本考案による第五の痔の患者用座布団の構成と作成方法である。
第一にタオル生地により着座部１を作成し、第二に着座部１に着座部１よりも高く盛り上がったタオル生地により作成した盛り上がり部２を取り付ける。
図１１，図１２
この場合、着座部１に盛り上がり部２を内包するためにタオル生地等により内包部６を作成して、この内部に盛り上がり部２を組み込んで取り付ける。
図１１，図１２
第三に、着座部１の上部にタオル生地により作成した緩衝部３を取り付ける。
図１１，図１２
この場合、緩衝部３は折りたたんで重ねたタオル生地１０を筒状のタオル生地等８に収納したものを着座部１の上部に取り付けて作成する。図１１，図１２
本痔の患者用座布団の仕上がりは、袋状の生地の内部に着座部１、盛り上がり部２及び緩衝部３の全部を収納して作成する。
第一の着座部１により、内包部６の内部に盛り上がり部２を内包する。そして、着座時臀部４を支持し、臀部４と肛門部５に保温効果を与える。図１１，図１２
第二の盛り上がり部２により、使用者が肛門部５を盛り上がり部２に合わせて着座すると、肛門部５を上部に押し上げて支持する。図１１、図１２
これにより、肛門部５の痔の疼痛を緩和する。また、この盛り上がり部２が体温によって暖められる自然な保温効果により肛門部５の血液の循環を良くし痔の疼痛を緩和する。
第三の緩衝部３により、着座時緩衝部３が沈降して臀部４を支持し、臀部４と肛門部５に保温効果を与える。着座しない場合、緩衝部３の復元機能により座面を平面な形状に保つ。図１１、図１２
以上が本考案による第五の痔の患者用座布団の構成と作成方法である。
【符号の説明】
【００１７】１着座部
２盛り上がり部
３緩衝部
４臀部
５肛門部
６内包部
７渦巻状に巻いたタオル生地
８筒状のタオル生地等
９タオル生地を着座部と縫合する部分
１０折りたたんで重ねたタオル生地
【図１】
0003175618.tif 000003
【図２】
0003175618.tif 000004
【図３】
0003175618.tif 000005
【図４】
0003175618.tif 000006
【図５】
0003175618.tif 000007
【図６】
0003175618.tif 000008
【図７】
0003175618.tif 000009
【図８】
0003175618.tif 000010
【図９】
0003175618.tif 000011
【図１０】
0003175618.tif 000012
【図１１】
0003175618.tif 000013
【図１２】
0003175618.tif 000014